(57)【要約】【課題】  より確実に荷降時のパネル小口の損傷を防止することができるとともに、取り扱いの極めて簡便なパネル保護具を提供する。【解決手段】  本発明のパネル保護具１は、パネル２の小口２ａを保護するパネル保護具１であって、前記パネル２裏面を受けつつ前記小口２ａを保護する下側部材１ａと、前記下側部材１ａと協働して前記小口２ａ部を保護する上側部材１ｂとを備えてなるものであり、上側部材１ｂがパネル２表面に当接する位置と、小口２ａと平行な位置とで開閉自在に下側部材１ａに装着されている。また、本発明のパネル保護具１においては、下側部材１ａがパネル２裏面に設けられた枠部材６が嵌合される嵌合溝１ｃを有してなるのが好ましい。【選択図】  図２
2005098000.tif 000002
【特許請求の範囲】
【請求項１】
パネルの小口を保護するパネル保護具であって、
前記パネル裏面を受けつつ前記小口を保護する下側部材と、前記下側部材と協働して前記小口部を保護する上側部材とを備えてなることを特徴とするパネル保護具。
【請求項２】
上側部材が、パネル表面に当接する位置と、小口と平行な位置とで開閉自在に下側部材に装着されてなることを特徴とする請求項１記載のパネル保護具。
【請求項３】
下側部材が、パネル裏面に設けられた枠部材が嵌合される嵌合溝を有してなることを特徴とする請求項１記載のパネル保護具。
【請求項４】
パネルを吊り上げる紐がパネル保護具から外れるのを防止する外れ防止部材が、下側部材の両サイドに配設されてなることを特徴とする請求項１記載のパネル保護具。
【請求項５】
下側部材および上側部材が硬質樹脂からなることを特徴とする請求項１記載のパネル保護具。
【請求項６】
下側部材および上側部材のそれぞれの角部が面取りされてなることを特徴とする請求項５記載のパネル保護具。
【発明の詳細な説明】
【技術分野】
【０００１】
本発明は、パネル保護具に関する。さらに詳しくは，パネルの荷降時にパネルの小口を保護するためのパネル保護具に関する。
【背景技術】
【０００２】
近年、建築現場における工数を極力削減するために、必要な加工を可能な限り工場で施してから建築現場まで資材を運搬する、といった方式が一般的となっている。そのため、建物外壁として用いられるパネル部材、特にオープンジョイント工法による外壁パネルにおいても、例えばパネル同士の間隙をシールするシーリング部材を予め工場で取り付けてから運搬するといったことが行われている。
【０００３】
この場合、工場で施された加工部分が荷降の際に破損しないように保護することが重要となる。
【０００４】
図４に、外壁パネルに設けられる付属物（ウインドバリア等）１０２を損傷しないように保護するための従来の保護構造の一例を示す。ここでは、ナイロンスリング等からなる紐材Ｌによりパネル１０１を荷降しするときに、その小口１０１ａに取り付けられた付属物１０２が紐材Ｌと接触して外れたりしないように、クッション材などの保護材１０３を介装させて保護している。
【０００５】
しかしながら、この従来の手法においては、紐材Ｌによりパネル１０１を吊り下げたときに保護材１０３が上にずれてしまって、小口１０１ａに取り付けられた付属物１０２がはずれてしまうことがあるといった問題がある。
【発明の開示】
【発明が解決しようとする課題】
【０００６】
本発明はかかる従来技術の課題に鑑みなされたものであって、より確実に荷降時のパネル小口の損傷を防止することができるとともに、取り扱いの極めて簡便なパネル保護具を提供することを目的としている。
【課題を解決するための手段】
【０００７】
本発明のパネル保護具は、パネルの小口を保護するパネル保護具であって、前記パネル裏面を受けつつ前記小口を保護する下側部材と、前記下側部材と協働して前記小口部を保護する上側部材とを備えてなることを特徴とする。
【０００８】
本発明のパネル保護具においては、上側部材がパネル表面に当接する位置と、小口と平行な位置とで開閉自在に下側部材に装着されてなるのが好ましい。
【０００９】
また、本発明のパネル保護具においては、下側部材がパネル裏面に設けられた枠部材が嵌合される嵌合溝を有してなるのが好ましい。
【００１０】
さらに、本発明のパネル保護具においては、パネルを吊り上げる紐がパネル保護具から外れるのを防止する外れ防止部材が、下側部材の両サイドに配設されてなるのが好ましい。
【００１１】
さらに、本発明のパネル保護具においては、下側部材および上側部材が硬質樹脂からなるのが好ましい。その場合、下側部材および上側部材のそれぞれの角部が面取りされてなるのがさらに好ましい。
【発明の効果】
【００１２】
本発明のパネル保護具１によれば、取付けが簡易であるにもかかわらず、ウインドバリア５などの小口２ａに予め配設されている付属物の位置ずれを生じさせることなくパネル２の荷降がなし得るという優れた効果が得られる。
【００１３】
また、本発明のパネル保護具１によれば、ウインドバリア５などの小口２ａに予め配設されている付属物の位置ずれを生じさせることがないので、施工現場における小口２ａの手直し作業が不要となり、据付け期間の短縮が図られるという優れた効果が得られる。
【００１４】
さらに、本発明のパネル保護具１は再利用が可能であるので、産業廃棄物を生じさせるおそれもないという優れた効果が得られる。
【発明を実施するための最良の形態】
【００１５】
以下、添付図面を参照しながら本発明を実施形態に基づいて説明するが、本発明はかかる実施形態のみに限定されるものではない。
【００１６】
図１に本発明の一実施形態に係るパネル保護具（以下、単に保護具という）を用いてパネルを荷降する場合の一例を斜視図により示す。
【００１７】
同図に示すように、保護具１は、例えば外壁として用いられるパネル２の小口２ａに設けられる付属物（レインバリア、ウインドバリア等）５（図２参照）を、ナイロンスリング等の紐材３を掛けてパネル２を荷降する際に保護するように、パネル２と紐材３との各接触部分に取り付けられるものとされる。
【００１８】
図２に、保護具１の詳細構成を横断面図により示す。
【００１９】
保護具１は、例えば硬質ウレタンからなる角部が面取りされた断面コの字形の部材とされ、断面が横Ｌ字状の小口保護部を有するパネル受部材（下側部材）１ａと、このパネル受部材１ａに開閉自在に設けられた平板状のパネル押さえ部（上側部材）１ｂとを有してなるものとされる。また、図示例では、パネル押さえ部１ｂは、蝶番４を用いてパネル受部１ａに開閉自在に接続されている。
【００２０】
パネル受部材１ａは、パネル２のアングルフレーム（係合部分）６と嵌合する嵌合溝（係合部）１ｃを有し、嵌合溝１ｃがアングルフレーム６と嵌合した状態で、Ｌ字の長辺相当部分をパネル２裏面に沿わせ、かつＬ字短辺相当部分により小口２ａを覆うように取り付けられるものとされる。つまり、Ｌ字短辺相当部分が小口保護部を形成している。
【００２１】
パネル押さえ部材１ｂは、パネル受部材１ａのＬ字短辺相当部分と平行になるパネル着脱位置（図に破線で示してある）と、パネル表面に当接する位置つまりパネル押さえ位置（図に実線で示してある）との間で開閉自在にパネル受部材１ａに設けられており、パネル押さえ位置では、パネル２を吊った紐材３に押圧されて、パネル２を押さえつつ小口２ａ部を保護するものとされる。
【００２２】
また、図３に示すように、保護具１は、紐材３がパネル受部材１ａから外れるのを防止するための外れ防止部材１ｄが、例えばパネル受部材１ａのＬ字短辺相当部分の両サイドに設けられるものとされる。外れ防止部材１ｄは、取付が容易なように例えば硬質樹脂の角パイプにより形成される。
【００２３】
このように、この実施形態の保護具１は、蝶番４により接続されるパネル受部材１ａとパネル押さえ部材１ｂとから構成され、パネル２のアングルフレーム６にパネル受部１ａの嵌合溝１ｃを嵌合させた状態でパネル２に取り付けられるものとされる。これにより、保護具１のパネル２への着脱が極めて容易になるとともに、パネルに掛け渡された紐材３の押圧力によりパネル受部材１ａとパネル押さえ部材１ｂとがパネル小口２ａ部を挾持するので、掛け金を嵌めるなどの特別な固定動作を特に行う必要がない。そのため、作業が簡素化されて作業性の向上が図られているにもかかわらず、荷降時に保護具１が位置ずれすることもない。したがって、小口２ａの保護が確実になされて、ウインドバリア５などの小口２ａに予め配設されている付属物の位置ずれを生じさせることなくパネルの荷降がなし得る。
【００２４】
また、保護具１はパネルの荷降が完了した時点で再利用が可能となるので、産業廃棄物を生じさせるおそれもない。
【産業上の利用可能性】
【００２５】
このように、本発明は、パネル２を吊り上げて荷降する必要がある全ての場合に適用することができる。
【図面の簡単な説明】
【００２６】
【図１】本発明の一実施形態に係るパネル保護具の使用状態を示す斜視図である。
【図２】同パネル保護具の詳細を示す横断面図である。
【図３】同パネル保護具の背面図である。
【図４】従来のパネル保護具の使用状態を示す一部断面図である。
【符号の説明】
【００２７】
１        パネル保護具
１ａ      パネル受部材（下側部材）
１ｂ      パネル押さえ部材（上側部材）
１ｃ      嵌合溝（係合部）
１ｄ      ずれ防止部材
３        紐材
４        蝶番
５        ウインドバリア（付属物）
【図１】
2005098000.tif 000003
【図２】
2005098000.tif 000004
【図３】
2005098000.tif 000005
【図４】
2005098000.tif 000006